(57)【要約】【課題】ワンタッチで蓋体の着脱が可能であり、蓋体装着時に目視によらず、或いは目視によって蓋体の装着が可能である蓋体及びこれを用いた飲料容器を提供する。【解決手段】飲料容器本体側の開口に設けられた飲み口を覆い着脱自在に係合する蓋体１０である。蓋体１０は、蓋カバー１０ａ、側壁１０ｂに配置された押圧部材１１、押圧部材１１と側壁内間に配設されたばね部材１２、押圧部材１１の押圧部と反対側の端部側に形成され飲料容器本体側と係脱自在の突起部、蓋カバー１０ｂを装着時に飲料容器本体側の内側で蓋カバーに形成された栓体支持部１４、栓体支持部１４に支持され弾性体からなる栓体１５、押圧部材１１の裏側下部に形成されたＬ字状の突起部に係脱される突起部受け２１ａ、を備えている。また、側壁１０ｂには、切欠き部１０ｄが形成され、これと嵌合する突起部２１ｄが飲料容器側に形成されている。【選択図】図１
2019156425.tif 000002
【特許請求の範囲】
【請求項１】
飲料容器本体側の開口に設けられた飲み口を覆い着脱自在に係合する蓋体であって、
前記蓋体は、上面に位置される蓋カバーと、該蓋カバーと一体となった中空筒状の側壁と、該側壁に配置された押圧部を有する押圧部材と、該押圧部材と前記側壁との間に配設されたばね部材と、前記押圧部材の押圧部と反対側の端部側に形成され前記飲料容器本体側と係脱自在の突起部と、前記蓋カバーを装着時に前記飲料容器本体側の内側で前記蓋カバーの中心を含んだ位置に形成された円筒状の栓体支持部と、該栓体支持部に支持され弾性体からなる栓体と、前記飲料容器本体側に形成された、前記押圧部材の突起部に係脱される突起部受けと、を備え、
前記押圧部材の押圧部は、前記側壁と略面一となっており、前記ばね部材に抗して押し込んだときに、前記押圧部材の押圧部が前記蓋カバーの内側に位置し、
前記蓋側壁に形成された少なくとも一つの切欠き部が形成され、該切欠き部が前記飲料容器側の開口外周に形成された線状の突起と嵌合し、
前記蓋体が飲料容器本体側と係合したときに、前記栓体が前記飲料容器本体側の開口を閉塞してなることを特徴とする飲料容器の蓋体。
【請求項２】
前記切欠きと前記突起部は、各々２か所が１８０度の位置に形成されていることを特徴とする請求項１に記載の飲料容器の蓋体。
【請求項３】
前記栓体は、前記飲み口と、緩く嵌め合う構造となっていることを特徴とする請求項１に記載の飲料容器の蓋体。
【請求項４】
前記押圧部材は前記蓋カバーの中心を通る線上に２か所形成され、前記押圧部材は長手方向の略真ん中に回動軸が形成されたことを特徴とする請求項１乃至３のいずれか一項に記載の飲料容器の蓋体。
【請求項５】
飲料が収容される飲料容器本体と、該飲料容器本体の開口に対して螺合固定された飲み口支持部と、該飲み口支持部に着脱可能に支持される飲み口及びパッキン支持部と、該パッキン支持部に装着されるパッキンと、前記の飲み口支持部と着脱自在に係合する蓋体と、を備えた飲料容器であって、
前記蓋体は、上面に位置される蓋カバーと、該蓋カバーと一体となった中空筒状の側壁と、該側壁に配置された押圧部を有する押圧部材と、該押圧部材と前記側壁との間に配設されたばね部材と、前記押圧部材の押圧部と反対側の端部側に形成され前記飲料容器本体側と係脱自在の突起部と、前記蓋カバーを装着時に前記飲料容器本体側の内側で前記蓋カバーの中心を含んだ位置に形成された円筒状の栓体支持部と、該栓体支持部に支持された弾性体からなる栓体と、前記飲料容器本体側に形成された、前記押圧部材の突起部に係脱される突起部受けと、を備え、
前記押圧部材の押圧部は、前記側壁と略面一となっており、前記ばね部材に抗して押し込んだときに、押圧部材の押圧部が前記蓋カバーの内側に位置し、
前記蓋側壁に形成された少なくとも一つの切欠き部が形成され、該切欠き部が前記飲料容器側の開口外周に形成された線状の突起と嵌合し、
前記蓋体が前記飲料容器本体側と係合したときに、前記栓体が前記飲料容器本体側の開口を閉塞してなることを特徴とする飲料容器。
【請求項６】
前記飲み口支持部に着脱可能に支持される飲み口及び前記パッキン支持部は筒状の一体に形成され、装着時蓋体側に位置する飲み口と、装着時飲料容器本体側に位置する前記パッキン支持部と、該パッキン支持部に装着されるパッキンと、を備え、
前記飲み口と前記パッキン支持部との間には、前記飲み口支持部と係合する係合部が形成されていることを特徴とする請求項５に記載の飲料容器。
【請求項７】
前記飲み口支持部は、円筒状の部材からなり、前記飲料容器本体側の開口内側には、前記飲料容器本体の上部外周に形成されたねじ状突起と螺合する前記ねじ状突起が形成され、該ねじ状突起が形成された側の開口と反対側の開口外周側には、前記突起部のＬ字状フックと係脱自在のフック受けが（２か所）形成されると共に、該フック受けと異なる位置には、線状突起が（２本）形成され、該線状突起に対応する飲み口支持部の内側には、前記飲料容器本体側に向けて係合片が形成され、該係合片の自由端部側には、飲み口支持部側に向いた係合突起が形成され、該係合突起は頂点の山部の両側が若干の傾斜面を有していることを特徴とする請求項５又は６に記載の飲料容器。
【発明の詳細な説明】
【技術分野】
【０００１】
本発明は、蓋体及び飲料容器に係り、特に飲料容器体の開口部に着脱可能に装着される蓋体及びこの蓋体を用いた飲料容器に関する。
【背景技術】
【０００２】
飲料容器本体の開口部に直接、口を付けて飲用することができる直のみタイプの飲料容器が普及している。この飲料容器では、一般に飲料容器本体の開口部に口を当てることができる飲み口を設け、この飲み口に対し栓部材を備えた蓋体が装着されるようになっている。このような飲料容器は、蓋体が飲料容器本体の開口部に螺合固定される構成となっている。そして、蓋体および栓部材の方は頻繁に開閉、着脱されるが、その都度、蓋体および栓部材を一体として回動操作する必要がある。この回動操作による蓋体の開閉は、手間がかかる。また、閉栓時の螺合状態が十分でない場合、収容液の漏出が起こる。また、蓋体の回動時に栓部材側のシール部材がボトル本体側の螺合溝と擦れてシール部材の摩耗によるシール機能の低下等を生じる問題もある。
【０００３】
そこで、蓋体および栓部材を、ボトル本体側飲み口部材に対してワンタッチで正確に着脱操作できるようにするとともに、蓋開閉時のシール部材によるシール機能を向上させた飲料容器が提案されていた（特許文献１参照）。
【先行技術文献】
【特許文献】
【０００４】
【特許文献１】特開２０１５−１２８５２７号公報
【発明の概要】
【発明が解決しようとする課題】
【０００５】
特許文献１の発明では、飲料が収容されるボトル本体と、このボトル本体の開口部に対して螺合固定された飲み口部材と、飲み口部材の内周に設けられた係合部に対して着脱可能に係合する係合部材を有して飲み口部材に嵌合される栓部材と、栓部材に対して、栓部材の係合部材の係合状態を操作する操作手段を介して係合された蓋部材と、栓部材の外周に設けられたガイド部材とを備えるように構成されている。そして、飲み口部材の係合部に対して、栓部材の係合部材を係合させることによって、栓部材および蓋部材を飲み口部材に対して嵌合係止するとともに、蓋部材の操作手段を操作することによって、飲み口部材の係合部に対する栓部材側係合部材の係合を解除する一方、栓部材はガイド部材を介して飲み口部材に嵌合されるように構成されている。
【０００６】
上記構成からなる特許文献１では、栓部材の正確な着脱を、螺合構造によらず、飲み口部材開口部への嵌合、開閉操作手段の開操作のみで簡単に実現できるようになり、螺合構造の場合のような面倒な回動操作が不要となること、螺合構造のような回動操作が不要になる結果、栓部材のシール部とボトル本体側シール面、螺合溝との回動時の摩擦による音鳴り、シール部材の摩耗によるシール機能の低下がなくなり、シール性能が向上し、シール寿命が長くなること、飲み口部材への栓部材の嵌合に際して、外部から見える状態での位置決め構造などを設けて位置決めする必要がなく、その点でも嵌合操作が容易で、しかもデザイン性が向上すること、などの効果を期待するものであった。
しかし、上述のような特許文献１の発明においては、外部から見える状態での位置決め構造がないため、目視によって位置を特定できない、という不都合があった。
【０００７】
本発明は、上記の課題に鑑みてなされたものであり、その目的は、ワンタッチで蓋体の着脱が可能であり、蓋体装着時に目視によらず、或いは目視によって蓋体の装着が可能である蓋体及びこれを用いた飲料容器を提供することにある。
【課題を解決するための手段】
【０００８】
前記課題は、本発明の飲料容器の蓋体によれば、飲料容器本体側の開口に設けられた飲み口を覆い着脱自在に係合する蓋体であって、前記蓋体は、上面に位置される蓋カバーと、該蓋カバーと一体となった中空筒状の側壁と、該側壁に配置された押圧部を有する押圧部材と、該押圧部材と前記側壁との間に配設されたばね部材と、前記押圧部材の押圧部と反対側の端部側に形成され前記飲料容器本体側と係脱自在の突起部と、前記蓋カバーを装着時に前記飲料容器本体側の内側で前記蓋カバーの中心を含んだ位置に形成された円筒状の栓体支持部と、該栓体支持部に支持され弾性体からなる栓体と、前記飲料容器本体側に形成された、前記押圧部材の突起部に係脱される突起部受けと、を備え、前記押圧部材の押圧部は、前記側壁と略面一となっており、前記ばね部材に抗して押し込んだときに、押圧部材の押圧部が前記蓋カバーの内側に位置し、前記蓋側壁に少なくとも一つの切欠き部が形成され、該切欠き部が前記飲料容器側の開口外周に形成された線状の突起と嵌合し、前記蓋体が飲料容器本体側と係合したときに、前記栓体が前記飲料容器本体側の開口を閉塞してなることにより解決される。
【０００９】
本発明によれば、栓体の付いた蓋体を飲み口の付いた飲料容器側に固定するための突起部を少なくとも一つ（実施例では２個または複数個）設け、蓋体の着脱（栓の開閉）をスクリュー式よりも簡単な動作で出来るようにしている。蓋体を取り付けるには、飲料容器側に蓋体を押し込んで突起部（フック）が突起部受けに掛かるようにする。蓋体を取り外すには、少なくとも一つ（２個または複数個）の押圧部材を押して突起部受けから突起部を外し、蓋体を上に持ち上げる。
【００１０】
この飲料容器（携帯型水筒）と蓋体との着脱は、蓋体を飲料容器に押し込むことで、蓋体に設けた突起部を飲料容器の本体側に設けた突起部受けと噛み合わせ、蓋体を飲料容器本体に取り付け固定する。蓋体を飲料容器本体から取り外すには、押圧部材を指で押し込み、突起部との噛み合いを外し、蓋体を飲料容器本体から引き上げる。押圧部材の表面は蓋カバーの側面と面をほぼ合わせているため、噛み合いを外す際には、２本の指で押圧部材を蓋カバーの内部に押し込むことが必要で、この構造により携帯時の意図しない力の働きで噛み合いが簡単に外れてしまうことを防いでいる。さらに、この構造は押圧部材を押し込んだ指をそのまま蓋カバーの天井部に引っ掛け、蓋体を引き上げることにも役立つように構成されている。
【００１１】
蓋体を飲料容器側に取り付ける際、蓋体の押圧部材の突起部と、飲料容器側の突起部受けとの位置合わせに役立つよう、蓋体に切欠きを設け、それと嵌め合う突起部を飲料容器側に設けているので、蓋体は、切欠きと突起部が合致しないと飲料容器本体に押し込むことができない。
このように蓋体に切欠きを設け、それと嵌め合う突起部を飲料容器側に設けているので、切欠きと突起部とを目視によって確認することもでき、また目視によらない場合でも、蓋体を飲料容器側に取り付ける際、切欠きと突起部とが合致しない状態では、蓋体を飲料容器側に軽く押しつけながら飲料容器側の中心軸の周りに回転させて合致させることができる。
【００１２】
このとき、前記切欠きと前記突起部は、各々２か所が１８０度の位置に形成されていると好適である。
このように前記切欠きと前記突起部を形成すると、蓋体を回転させていると、回転角度が１８０度に達する前に切欠きと突起部とが合致する箇所となって、目視に拠ることなく手指の感覚だけで容易に認識することができ、その位置で蓋体を飲料容器側に押し込めば、蓋体の押圧部材を飲料容器側の突起部受けに噛み合わせ、蓋体を飲料容器側に取り付け固定することができる。
【００１３】
前記栓体は、前記飲み口と、緩く嵌め合う構造となっていると好適である。
このように構成すると、蓋体の栓体（シリコン中栓）が飲料容器側の飲み口に緩く嵌め合うことになるため、蓋体を回転させる際、蓋体が飲料容器側の中心軸で、弾性のある栓体を中心に嵌め合いを維持しながら回転できる。
蓋体が飲料容器本体に固定されているとき、蓋体の中栓は飲料容器本体の飲み口に押さえつけられているので、蓋体側には常に持ち上げようとする力が働いている。そのため携帯時に意図しない力が働き、例え片側だけでも押圧部材が押し込まれてしまうと蓋体の片側が持ち上げられ、水が漏れてしまうのを防ぐため、蓋体は中栓と飲み口と嵌め合う構造になっている。この嵌め合いは、蓋体の脱着に支障がない適度な締め付けで蓋体の片側だけが持ち上がるのを防いでいる。
【００１４】
押圧部材は蓋カバーの中心を通る線上に２か所形成され、押圧部材は長手方向の略真ん中に回動軸が形成されると好適である。
これにより、押圧部材が親指と人差し指で押圧できるような位置関係となるので、摘まんだままで、取り外し可能となる。
【００１５】
前記課題は、本発明の飲料容器によれば、飲料が収容される飲料容器本体と、該飲料容器本体の開口に対して螺合固定された飲み口支持部と、該飲み口支持部に着脱可能に支持される飲み口及びパッキン支持部と、該パッキン支持部に装着されるパッキンと、前記の飲み口支持部と着脱自在に係合する蓋体と、を備えた飲料容器であって、前記蓋体は、上面に位置される蓋カバーと、該蓋カバーと一体となった中空筒状の側壁と、該側壁に配置された押圧部を有する押圧部材と、該押圧部材と前記側壁との間に配設されたばね部材と、前記押圧部材の押圧部と反対側の端部側に形成され前記飲料容器本体側と係脱自在の突起部と、前記蓋カバーを装着時に前記飲料容器本体側の内側で前記蓋カバーの中心を含んだ位置に形成された円筒状の栓体支持部と、該栓体支持部に支持され弾性体からなる栓体と、前記飲料容器本体側に形成された、前記押圧部材の突起部に係脱される突起部受けと、を備え、前記押圧部材の押圧部は、前記側壁と略面一となっており、前記ばね部材に抗して押し込んだときに、押圧部材の押圧部が前記蓋カバーの内側に位置し、前記蓋側壁に形成された少なくとも一つの切欠き部が形成され、該切欠き部が前記飲料容器側の開口外周に形成された線状の突起と嵌合し、前記蓋体が飲料容器本体側と係合したときに、前記栓体が前記飲料容器本体側の開口を閉塞してなること、により解決される。
以上のように、飲料容器によれば、前記した蓋体の作用効果を備え、ワンタッチで蓋体の着脱が可能であり、蓋体装着時に目視によらず、或いは目視によって蓋体の装着が可能な飲料容器を提供することができる。
【００１６】
また、前記飲み口支持部に着脱可能に支持される飲み口及びパッキン支持部は筒状の一体に形成され、装着時蓋体側に位置する飲み口と、装着時飲料容器本体側に位置するパッキン支持部と、該パッキン支持部に装着されるパッキンと、を備え、前記飲み口とパッキン支持部との間には、前記飲み口支持部と係合する係合部が形成されていると、好適である。
【００１７】
このとき、前記飲み口支持部は、円筒状の部材からなり、飲料容器本体側の開口内側には、飲料容器本体の上部外周に形成されたねじ状突起と螺合するねじ状突起が形成され、該ねじ状突起が形成された側の開口と反対側の開口外周側には、前記突起部のＬ字状フックと係脱自在のフック受けが形成されると共に、該フック受けと異なる位置には、線状突起が形成され、該線状突起に対応する飲み口支持部の内側には、飲料容器本体側に向けて係合片が形成され、該係合片の自由端部側には、飲み口支持部側に向いた係合突起が形成され、該係合突起は頂点の山部の両側が若干の傾斜面を有していると好適である。
【００１８】
上記のように構成された本発明では、ワンタッチで蓋体の着脱が可能であり、蓋体装着時に目視によらず、或いは目視によって蓋体の装着が可能な飲料容器を提供することができる。
【発明の効果】
【００１９】
本発明の蓋体によれば、ワンタッチで蓋体を装着でき、同時に目視によって蓋体の装着位置を確認できるだけでなく、目視によらなくても装着ができる。
また、本発明の飲料容器によれば、上記蓋体の特徴を備えた飲料容器を提供することが可能となる。
【図面の簡単な説明】
【００２０】
【図１】本発明の一実施形態に係る蓋体１０と飲み口支持部との連結関係を説明する説明図である。
【図２】飲料用容器の構成部品の分解図である。
【図３】飲料用容器を分解した断面構成図である。
【図４】蓋体を飲み口支持部に装着するときの状態を説明する断面構成図である。
【図５】蓋体を装着するときの状態を説明する説明図である。
【図６】蓋体を離脱する状態の断面構成図である。
【図７】飲料容器の斜視図である。
【発明を実施するための形態】
【００２１】
以下、図１乃至図７を参照しながら、本発明の実施の形態（以下、本実施形態）に係る蓋体及びこれを用いた飲料容器について説明する。なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
図１乃至図７は本発明の一実施形態を示すもので、図１は蓋体と飲み口支持部との連結関係を説明する説明図、図２は飲料用容器の構成部品の分解図、図３は飲料用容器を分解した断面構成図、図４は蓋体を飲み口支持部に装着するときの状態を説明する断面構成図、図５は蓋体を装着するときの状態を説明する説明図、図６は蓋体を離脱する状態の断面構成図、図７は飲料容器の斜視図である。
【００２２】
本例の飲料容器Ｐは、図２で示すように、本発明の蓋体１０と、この蓋体１０によって覆われる飲み口本体２２を備えた飲み口支持部２１などからなる飲み口支持部材２０と、飲料容器本体３０とを主要構成要素としている。
（蓋体の構成）
本発明の蓋体１０は、飲料容器本体３０側の開口部３１に設けられた飲み口を覆い着脱自在に係合するものである。
より詳しくは、蓋体１０は、図１〜図３で示すように、円板状の蓋カバー１０ａと、中空筒状の側壁１０ｂと、押圧部１１ａを有する押圧部材１１と、ばね部材１２と、突起部１３と、栓体支持部１４と、栓体１５と、を備えている。
円板状の蓋カバー１０ａは、蓋体１０の上面に位置されるもので、図２で示すように、この蓋カバー１０ａと連続して中空筒状の側壁１０ｂが一体となって形成されている。
【００２３】
そして、この中空円筒状の側壁１０ｂには凹部１０ｃが２か所形成され、この凹部１０ｃ内にプッシュボタンとしての押圧部１１ａを有する押圧部材１１が可動可能に配置されている。押圧部材１１は、長手方向の略真ん中に回動軸が形成され、一端側に押圧部１１ａを有し、他端側に、図２及び図３で示すように、Ｌ字状のフックとしての突起部１３が形成されている。また押圧部材１１の側壁内部側には、ばね受け突起１１ｃと軸受け部１１ｂが形成され、凹部１０ｃの底部側（蓋体の中心方向側）には回動支持部１７ａを有する回動支持部材１７が配置されている。押圧部材１１は回動支持部１７ａと軸受け部１１ｂが係合して、回動支持部材１７に対して回動可能（搖動可能）になっている。
【００２４】
また凹部１０ｃの飲み口支持部２１側には、蓋体１０の装着時に、蓋体１０を押し込んだ時に、飲み口支持部２１の上面の当接面２１ｅと当接する当接部１０ｅが形成されている。回動支持部１７には、ばね部材１２であるコイルばねを支持して規制できるように、ばね規制部１７ｂが形成されている。
この押圧部材１１が位置する凹部空間の内部には、図４で示すように、ばね部材１２が配設され、押圧部１１ａを常時外方へ付勢している。そして押圧部材１１の押圧部１１ａの外面は、側壁１０ｂと略面一となっており、押圧部１１ａの外面には滑り止用の凹凸が形成されている。
【００２５】
押圧部材１１の押圧部１１ａを、ばね部材１２に抗して押し込んだとき（図６参照）に、押圧部１１ａが蓋カバー１０ａの内側部１０ａ１に位置し、突起部１３が後述する突起部受け２１ａから外れ、そのままの状態で、内側部１０ａ１を持ち上げることで、蓋カバー１０ａを介して蓋体１０そのものを取り外すことができるように構成されている。
本例では、図２で示すように、押圧部材１１ａは、蓋カバー１０ａの中心を通る線上に２か所（１８０度の間隔）形成されている。
【００２６】
そして、蓋の側壁１０ｂには、少なくとも一つ（本例では２つ）の切欠き部１０ｄが、上記凹部１０ｃから９０度の位置に形成され、この切欠き部１０ｄが飲料容器側（本例では飲み口支持部２１）の開口側外周に形成された線状の突起部２１ｄと嵌合し、蓋体１０と飲み口支持部材２０とを容易に装着することができる。このとき、切欠き部１０ｄと突起部２１ｄは、各々２か所が１８０度の位置に形成されていると好適であり、このように構成すると、蓋体１０を飲料容器側に押し付けながら回転させていると、回転角度が１８０度に達する前に切欠き部１０ｄと突起部２１ｄとが合致し、目視に拠ることなく手指の感覚だけで容易に装着することができる。
【００２７】
また、押圧部材１１の押圧部１１ａと反対側の端部側には、前記飲料容器本体側と係脱自在の突起部１３が形成されており、この突起部１３が、飲み口支持部２１に形成された突起部受け２１ａと係脱し、蓋体１０を着脱可能になるように構成されている。
この蓋体１０を構成する蓋カバー１０ａには、図３で示すように、蓋カバー１０ａの中心を含んだ位置に半円状の板体が、隙間１４ａを置いて対向するように配置されて、栓体支持部１４が形成されている。この隙間１４ａの間には、後述する栓体１５の内側に形成された内周リブ１５ｂが入り、この内周リブ１５ｂが隙間１４ａに入り込む（所謂「しまりばめ」）ことによって、栓体１５の落下を防止している。
また、内周リブ１５ｂが飲み口本体２２の内側と緩い嵌め合い（軽く接する）になることで蓋体１０の回転が滑らかになる。このとき、蓋体１０が回転するときに有底部１５ｃは、小径部２２ｂとは離れた位置にある。
【００２８】
栓体１５は、弾性体であり、本例ではシリコンゴムから形成され、飲み口本体２２の小径部２２ｂでシールできるような有底の中空円筒体をしている。有底部１５ｃと反対側は開口されており、開口端部側には、蓋カバー１０ａと、隙間１５ｅを介して対向するように庇部１５ａが形成されている。これにより、庇部１５ａと蓋カバー１０ａとの間には部分的に隙間１５ｅが形成され、有底部１５ｃが凹んだまま元に戻らないことを防止している。つまり、隙間１５ｅを形成し、この隙間１５ｅで、空気の流れを確保し、有底部１５ｃが変形したままにならないように構成している。また、有底部１５ｃの部分は他の部分より小径に形成されている。
そして、栓体１５が飲み口本体２２の小径部２２ｂと蓋体１０との間に介在して、飲み口をシールすると共に、蓋体１０を上方に若干付勢することになり、突起部１３と突起部受け２１ａとの間で若干の緊張関係を保ち、ガタ付き等を防止している。つまり、図４で示すように装着するときに力を飲料容器側に掛けているときには、栓体１５が飲み口本体２２の小径部２２ｂと嵌合状態で塞ぎ、図４の下の図のように、装着が完了すると、飲み口をシールすると共に、蓋体１０を上方に若干付勢するため、前記した飲み口支持部２１の上面の当接面２１ｅと凹部１０ｃの当接部１０ｅが離れた状態となり、異音の発生を防止している。
【００２９】
また、上述したように、栓体１５の内側には線状の内周リブ１５ｂが２本形成されており、この２本の内周リブ１５ｂが上記栓体支持部１４に形成された隙間に入り込み、栓体１５自体の蓋体１０との間の廻り止めとなっている。
また栓体１５の外周には、栓体１５の長手方向に線状の外周リブ１５ｄが所定間隔ごとに形成されており、外周リブ１５ｄは、栓体１５の内、有底部１５ｃを除いた部分に剛性を与え、有底部１５ｃだけが凹むように作用している。また栓体自体にある程度の剛性を与え、栓体１５の装着及び栓体１５を栓体支持部１４に装着するときの取扱いに便ならしめている。
【００３０】
（飲料容器の構成）
飲料容器Ｐは、蓋体１０と、飲料容器本体３０と、この飲料容器本体３０と螺合する飲み口支持部材２０とから構成され、飲み口支持部材２０は、飲み口支持部２１と、飲み口本体２２と、飲み口係合部２３と、パッキン支持部２４と、パッキン２５と、を備えている。そして飲み口支持部材２０は蓋体１０によりワンタッチで着脱できる構成とされている。蓋体１０は、前述した構成からなるものであり、同一符号を付してその説明を省略する。
【００３１】
飲料が収容される本例の飲料容器本体３０は、図２で示すように、上部が開口部３１として開口した中空有底円筒状の容器であり、開口部３１の外周には、飲み口支持部２１と螺合するねじ部３２が形成されている。このねじ部３２は公知の技術が用いられており、飲み口支持部２１と螺合することができるものであれば、特に限定するものではない。また、図２で示すように、飲み口支持部２１の飲料容器本体３０側に位置する内側には、開口部３１の外周に形成されたねじ部３２と螺合できるねじ部２１ｆが形成されている。
また図１及び図２で示すように、飲み口支持部２１の側面には、飲み口支持部２１の外周面と同一面で、所定巾を残して、前記した側壁１０ｂの厚さだけ内側にして形成された突起部２１ｄが形成され、前述した側壁１０ｂの切欠き部１０ｄと嵌まり込むように形成されている。
【００３２】
突起部２１ｄが形成された位置から９０度離れた外周位置には、押圧部材１１の突起部１３と係脱可能な断面コ字状の突起部受け２１ａが形成されている。本例では押圧部材１１の突起部１３が１８０度離れて２か所に形成されているので、これらと係合できるように、突起部受け２１ａは２か所に形成されている。また突起部受け２１ａは、突起部１３と係合しやすいように、上面が斜面２１ｂに形成されており、突起部１３の斜面に形成された係合面１３ａによって、係合が容易になるように形成されている。
【００３３】
この飲み口支持部２１の突起部２１ｄの内周側位置には、図２で示すように、当接面２１ｅに片持ち支持された垂下部２１ｈが形成され、この垂下部２１ｈには係合凸部２１ｇが設けられ、後述する飲み口本体２２に形成された飲み口係合部２３の凹部２３ｂと係合するようになっている。そして、この凹部２３ｂから所定位置離れたパッキン配置側の箇所には、係合部２３ｃが設けられ、上記垂下部２１ｈの係合凸部２１ｇと着脱可能に係合するようになっている。また、突起部受け２１ａの内周側には、係合凹部２１ｃが形成されている。
【００３４】
飲み口支持部２１には、飲み口本体２２が装着されるが、本例の飲み口本体２２は、中空円筒状をした飲み口２２ａと、この飲み口２２ａに連続して、飲料容器本体３０側には、小径部２２ｂが形成されている。
また外周側に飲み口係合部２３が張り出して形成され、さらに飲み口係合部２３より飲料容器本体３０側には、パッキン支持部２４が形成されている。
すなわち、中空円筒状の飲み口２２ａが上部に形成され、この飲み口２２ａから連続して、さらに飲み口係合部２３が外周に形成されるが、この飲み口係合部２３は、上述のように、係合突部２３ａが２か所形成されており、この係合突部２３ａは係合凹部２１ｃと係合し、同時に前述の垂下部２１ｈの係合凸部２１ｇと係合部２３ｃが係脱可能に構成されている。
【００３５】
飲み口本体２２には、飲み口係合部２３より飲料容器本体３０側に、パッキン支持部２４が形成されており、パッキン支持部２４にはパッキン２５が装着される。このパッキン支持部２４は、パッキン抑え部２４ａと、パッキン装着用の円環突起部２４ｃと、パッキン抑え部２４ａに形成されたパッキン外し用の切欠き部２４ｂから構成されている。切欠き部２４ｂは１８０度対象位置に２か所形成され、この切欠き部２４ｂからパッキン２５を押して、外すことが容易となる。
【００３６】
本例のパッキン２５は、断面コ字状をした円環状のゴムなどのシール材から構成されており、上記円環突起部２４ｃをコ字状の中間に位置させて取り付ける。そして、パッキン２５の径は、飲料容器本体３０の開口部３１の小径部３３より、若干大きく形成され、小径部３３とパッキン２５の外径とが密着することにより、飲料容器本体３０と飲み口本体２２とから飲料が漏えいしないように構成している。
【００３７】
次に、上記構成からなる蓋体１０及びこの蓋体１０を用いた飲料容器Ｐの取扱いについて、図４乃至図７を参照して説明する。
まず、飲料容器本体３０に飲料を入れて、飲料容器本体３０と飲み口支持部材２０を螺合させる。これにより、飲み口本体２２が露出した状態となり、飲料を飲むときには、この状態で飲み口本体２２の飲み口２２ａに口をつけて飲む、或いは飲料容器本体３０を傾けて、飲料を飲料容器本体３０から出す。
【００３８】
そして、飲み口本体２２及び飲み口２２ａを閉塞するときには、図４で示すように、蓋体１０を飲み口支持部材２０に向けて押し込むようにする。このとき、切欠き部１０ｄと突起部２１ｄが一致していれば、そのまま押し込めるが、一致していない場合には、図５で示すように、蓋体１０を飲み口支持部材２０に向けて押しながら、回動させる。このように蓋体１０を取り付けるときに、切欠き部１０ｄと突起部２１ｄとを目視によって確認することもでき、また目視によらない場合でも、蓋体１０を飲料容器側に取り付ける際、切欠き部１０ｄと突起部２１ｄとが合致しない場合であっても、蓋体１０を飲料容器側に軽く押しつけながら飲料容器側の中心軸の周りに回転させて合致させることができる。
【００３９】
蓋体１０を外す場合には、図６で示すように、押圧部材１１の押圧部１１ａを、例えば親指と人差し指で蓋体１０の内部側へ押し込むと、ばね部材１２を圧縮して、押圧部１１ａが蓋体１０の内側に移送し蓋カバー１０ａの内側に位置し、同時にＬ字状のフックとしての突起部１３が、突起部受け２１ａから外れ、そのままの状態で、蓋カバー１０ａを引っ掛けて持ち上げ、蓋体１０そのものを取り外すことができる。
【符号の説明】
【００４０】
１０  蓋体
１０ａ  蓋カバー
１０ｂ  中空筒状の側壁
１０ｃ  凹部
１０ｄ  切欠き部
１０ｅ  当接部
１１  押圧部材
１１ａ  押圧部
１１ｂ  軸受け部
１１ｃ  ばね受け突起
１２  ばね部材
１３  突起部
１３ａ  係合面
１４  栓体支持部
１４ａ  隙間
１５  栓体
１５ａ  庇部
１５ｂ  内周リブ
１５ｃ  有底部
１５ｄ  外周リブ
１５ｅ  隙間
１７  回動支持部材
１７ａ  回動支持部
１７ｂ  ばね規制部
２０  飲み口支持部材
２１  飲み口支持部
２１ａ  突起部受け
２１ｂ  傾斜面
２１ｃ  係合凹部
２１ｄ  突起部
２１ｅ  当接面
２１ｆ  ねじ部
２１ｇ  係合凸部
２１ｈ  垂下部
２２  飲み口本体
２２ａ  飲み口
２２ｂ  小径部
２３  飲み口係合部
２３ａ  係合突部
２３ｂ  凹部
２３ｃ  係合部
２４  パッキン支持部
２４ａ  パッキン抑え部
２４ｂ  切欠き部
２４ｃ  円環突起部
２５  パッキン
３０  飲料容器本体
３１  開口部
３２  ねじ部
３３  小径部
Ｐ  飲料容器
【図１】
2019156425.tif 000003
【図２】
2019156425.tif 000004
【図３】
2019156425.tif 000005
【図４】
2019156425.tif 000006
【図５】
2019156425.tif 000007
【図６】
2019156425.tif 000008
【図７】
2019156425.tif 000009